【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
送電器と受電器を有する無線電力伝送システムであって、
前記送電器は、
電力伝送信号を介して受電器へ電力を伝送するための送電電力伝送コイルと、
前記送電電力伝送コイル及び前記送電電力伝送コイルの近位にある送信通信コイルのうちの少なくとも一つである第一通信コイルを用いて第一通信リンク上で前記受電器へメッセージを通信するための第一通信ユニットであって、前記第一通信ユニットは前記受電器へ第一メッセージを送信するように構成され、前記第一通信リンクは前記電力伝送信号のための電力伝送距離に対応する距離を持つ、第一通信ユニットと、
第二通信リンク上で前記受電器からデータを受信するように構成される第二通信ユニットであって、前記第二通信リンクは前記第一通信コイルを使用せず、前記第一通信リンクの距離を超える距離を持つ、第二通信ユニットとを有し、
前記受電器は、
前記電力伝送信号を受信するための受電電力伝送コイルと、
前記電力伝送信号から負荷に電力を供給するための電力負荷結合器と、
前記受電電力伝送コイル及び前記受電電力伝送コイルの近位にある受信通信コイルのうちの少なくとも一つである第二通信コイルを用いて前記第一通信リンク上で前記送電器からメッセージを受信するための第三通信ユニットであって、前記第三通信ユニットは前記送電器から前記第一メッセージを受信するように構成される、第三通信ユニットと、
前記第一メッセージに応答して応答メッセージを生成するための応答生成器であって、前記応答メッセージは前記第一メッセージの特性の第一特性表示を有する電力制御メッセージである、応答生成器と、
前記第二通信コイルを使用せずに前記第二通信リンクを介して前記送電器へ前記応答メッセージを送信するための第四通信ユニットとを有し、
前記送電器がさらに、
前記第一メッセージへの予測応答メッセージを決定するための応答プロセッサであって、前記予測応答メッセージは前記第一メッセージの特性に対する予測特性表示を有する電力制御メッセージである、応答プロセッサと、
前記予測応答メッセージに対応する電力制御メッセージが前記第二通信リンク上で受信されるかどうかを示す確認表示を生成するための妥当性チェッカーであって、前記確認表示は前記特性表示が前記予測特性表示にマッチするかどうかを示す、妥当性チェッカーと、
前記確認表示に応答して前記電力伝送信号の電力レベルを制御するための電力制御器とを有する、
無線電力伝送システム。
【請求項２】
前記第一通信ユニットが第一データを有するように前記第一メッセージを生成するように構成され、前記応答生成器が前記第一データから応答データを生成し、前記応答メッセージに前記応答データを含むように構成され、前記応答プロセッサが前記第一データに応答して予測応答データを決定するように構成され、前記妥当性チェッカーが、前記第二通信リンク上で受信されるメッセージが前記予測応答データにマッチするデータを有するかどうかの評価に応答して前記確認表示を生成するように構成される、請求項１に記載の無線電力伝送システム。
【請求項３】
前記第一データが前記送電器の識別及び前記送電電力伝送コイルの識別のうちの少なくとも一つの表示を有する、請求項２に記載の無線電力伝送システム。
【請求項４】
前記第一データが前記第一メッセージの送信時間及びメッセージ識別のうちの少なくとも一つの表示を有する、請求項２又は３に記載の無線電力伝送システム。
【請求項５】
前記妥当性チェッカーが、前記第一メッセージの送信から前記第二通信リンク上での前記メッセージの受信までの時間遅延を決定し、前記時間遅延に応答して前記確認表示を決定するように構成され得る、請求項１、２、又は４に記載の無線電力伝送システム。
【請求項６】
前記送電器が第一メッセージを繰り返し送信するように構成され、前記送電器が前記第二通信リンク上で受信されるメッセージに対して確認表示を繰り返し生成するように構成される、請求項１に記載の無線電力伝送システム。
【請求項７】
前記送電器が、前記第一メッセージが送信されてから時間間隔以内に前記第一メッセージに対して予測応答メッセージが受信されない限り、前記電力レベルを閾値を超えないように制限するように構成される、請求項６に記載の無線電力伝送システム。
【請求項８】
連続第一メッセージ間の時間間隔が５００ｍ秒を超えない、請求項６又は７に記載の無線電力伝送システム。
【請求項９】
前記送電器が、
時間間隔の終了、
前記受電器の移動の検出、
前記送電電力伝送コイルの負荷における変化の検出、
前記送信通信コイルの負荷における変化の検出
から成る群からのイベントに応答して前記第一メッセージを送信するように構成される、請求項１又は６に記載の無線電力伝送システム。
【請求項１０】
前記受電器が前記送電器へメッセージ要求を送信するように構成され、前記送電器が前記メッセージ要求の受信に応答して前記第一メッセージを送信するように構成される、請求項１又は６に記載の無線電力伝送システム。
【請求項１１】
前記受電器が、
時間間隔の終了、
前記受電器の移動の検出、
前記電力伝送信号における変化の検出、
前記受信通信コイルによって受信される信号における変化の検出
から成る群からのイベントに応答して前記メッセージ要求を送信するように構成される、請求項１０に記載の無線電力伝送システム。
【請求項１２】
前記第一通信コイルが前記送電電力伝送コイルであり、前記第一通信ユニットが前記第一メッセージを前記電力伝送信号について変調するように構成される、請求項１に記載の無線電力伝送システム。
【請求項１３】
前記送電器が前記第一メッセージをピン電力伝送信号について変調するように構成される、請求項１２に記載の無線電力伝送システム。
【請求項１４】
前記電力制御器は、前記第二通信リンク上で受信されるメッセージが前記予測応答メッセージにマッチすることを前記確認表示が示さない限り、前記電力レベルを電力制限を超えないように制限するように構成される、請求項１に記載の無線電力伝送システム。
【請求項１５】
前記第一通信コイルが前記送信通信コイルであり、前記送電電力伝送コイルの中心から前記送信通信コイルの外側巻線までの距離が、前記送電電力伝送コイルの中心から前記送電電力伝送コイルの外側巻線までの距離の２倍未満である、請求項１に記載の無線電力伝送システム。
【請求項１６】
前記応答メッセージが前記電力伝送信号に対する受信電力レベルの表示を有し、前記電力制御器は、前記受信電力レベルの表示が閾値未満の受信電力レベルを示す場合、前記電力伝送信号の電力レベルを電力制限未満に制限するように構成される、請求項１に記載の無線電力伝送システム。
【請求項１７】
無線電力伝送システムのための送電器であって、
電力伝送信号を介して受電器へ電力を伝送するための送電電力伝送コイルと、
前記送電電力伝送コイル及び前記送電電力伝送コイルの近位にある送信通信コイルのうちの少なくとも一つである第一通信コイルを用いて第一通信リンク上で前記受電器へメッセージを通信するための第一通信ユニットであって、前記第一通信ユニットは前記受電器へ第一メッセージを送信するように構成され、前記第一通信リンクは前記電力伝送信号のための電力伝送距離に対応する距離を持つ、第一通信ユニットと、
第二通信リンク上で前記受電器からデータを受信するように構成される第二通信ユニットであって、前記第二通信リンクは前記第一通信コイルを使用せず、前記第一通信リンクの距離を超える距離を持つ、第二通信ユニットと、
前記第一メッセージへの予測応答メッセージを決定するための応答プロセッサであって、前記予測応答メッセージは前記第一メッセージの特性に対する予測特性表示を有する電力制御メッセージである、応答プロセッサと、
前記予測応答メッセージに対応し、前記予測特性表示に対応する特性表示を有する電力制御メッセージが前記第二通信リンク上で受信されるかどうかを示す確認表示を生成するための妥当性チェッカーと、
前記確認表示に応答して前記電力伝送信号の電力レベルを制御するための電力制御器とを有する、
送電器。
【請求項１８】
無線電力伝送システムのための受電器であって、
送電器から電力伝送信号を受信するための受電電力伝送コイルと、
前記電力伝送信号から負荷へ電力を供給するための電力負荷結合器と、
前記受電電力伝送コイル及び前記受電電力伝送コイルの近位にある受信通信コイルのうちの少なくとも一つである第二通信コイルを用いて第一通信リンク上で前記送電器からメッセージを受信するための第一通信ユニットであって、前記第一通信ユニットは前記送電器から第一メッセージを受信するように構成され、前記第一通信リンクは前記電力伝送信号のための電力伝送距離に対応する距離を持つ、第一通信ユニットと、
前記第一メッセージに応答して応答メッセージを生成するための応答生成器であって、前記応答メッセージは前記第一メッセージの特性の表示を有する電力制御メッセージである、応答生成器と、
前記第二通信コイルを使用せずに第二通信リンクを介して前記送電器へ前記応答メッセージを送信するための第二通信ユニットであって、前記第二通信リンクは前記第一通信リンクの距離を超える距離を持つ、第二通信ユニットとを有する、
受電器。
【請求項１９】
無線電力伝送システムの動作方法であって、
送電器が、
送電電力伝送コイルが電力伝送信号を介して受電器へ電力を伝送するステップと、
前記送電電力伝送コイル及び前記送電電力伝送コイルの近位にある送信通信コイルのうちの少なくとも一つである第一通信コイルを用いて第一通信リンク上で前記受電器へメッセージを通信するステップであって、前記メッセージは第一メッセージを含み、前記第一通信リンクは前記電力伝送信号のための電力伝送距離に対応する距離を持つ、ステップと、
第二通信リンク上で前記受電器からデータを受信するステップであって、前記第二通信リンクは前記第一通信コイルを使用せず、前記第一通信リンクの距離を超える距離を持つ、ステップと
を実行するステップ、並びに、
受電器が、
受電電力伝送コイルが前記電力伝送信号を受信するステップと、
前記電力伝送信号から負荷へ電力を供給するステップと、
前記受電電力伝送コイル及び前記受電電力伝送コイルの近位にある受信通信コイルのうちの少なくとも一つである第二通信コイルを用いて前記第一通信リンク上で前記送電器からメッセージを受信するステップであって、前記メッセージは前記第一メッセージを含む、ステップと、
前記第一メッセージへの応答メッセージを生成するステップであって、前記応答メッセージは前記第一メッセージの特性の第一特性表示を有する電力制御メッセージである、ステップと、
前記第二通信コイルを使用せずに前記第二通信リンクを介して前記送電器へ前記応答メッセージを送信するステップと
を実行するステップを有する方法において、
前記送電器が、
前記第一メッセージへの予測応答メッセージを決定するステップであって、前記予測応答メッセージは前記第一メッセージの特性の予測特性表示を有する電力制御メッセージである、ステップと、
前記予測応答メッセージに対応する電力制御メッセージが前記第二通信リンク上で受信されるかどうかを示す確認表示を生成するステップであって、前記確認表示は前記特性表示が前記予測特性表示にマッチするかどうかを示す、ステップと、
前記確認表示に応答して前記電力伝送信号の電力レベルを制御するステップと
をさらに実行する、方法。
【請求項２０】
無線電力伝送システムの送電器の動作方法であって、
送電電力伝送コイルが電力伝送信号を介して受電器へ電力を伝送するステップと、
前記送電電力伝送コイル及び前記送電電力伝送コイルの近位にある送信通信コイルのうちの少なくとも一つである第一通信コイルを用いて第一通信リンク上で前記受電器へメッセージを通信するステップであって、前記第一通信リンクは前記電力伝送信号のための電力伝送距離に対応する距離を持ち、前記メッセージは第一メッセージを含む、ステップと、
第二通信リンク上で前記受電器からデータを受信するステップであって、第二通信リンクは前記第一通信コイルを使用せず、前記第一通信リンクの距離を超える距離を持つ、ステップと、
前記第一メッセージへの予測応答メッセージを決定するステップであって、前記予測応答メッセージは前記第一メッセージの特性に対する予測特性表示を有する電力制御メッセージである、ステップと、
前記予測応答メッセージに対応し、前記予測特性表示に対応する特性表示を有する電力制御メッセージが前記第二通信リンク上で受信されるかどうかを示す確認表示を生成するステップと、
前記確認表示に応答して前記電力伝送信号の電力レベルを制御するステップと
を有する方法。
【請求項２１】
無線電力伝送システムの受電器の動作方法であって、
受電電力伝送コイルが送電器から電力伝送信号を受信するステップと、
前記電力伝送信号から負荷へ電力を供給するステップと、
前記受電電力伝送コイル及び前記受電電力伝送コイルの近位にある受信通信コイルのうちの少なくとも一つである第二通信コイルを用いて第一通信リンク上で前記送電器からメッセージを受信するステップであって、前記メッセージは前記送電器からの第一メッセージを含み、前記第一通信リンクは前記電力伝送信号のための電力伝送距離に対応する距離を持つ、ステップと、
前記第一メッセージに応答して応答メッセージを生成するステップであって、前記応答メッセージは前記第一メッセージの特性の表示を有する電力制御メッセージである、ステップと、
前記第二通信コイルを使用せずに第二通信リンクを介して前記送電器へ前記応答メッセージを送信するステップであって、前記第二通信リンクは前記第一通信リンクの距離を超える距離を持つ、ステップと
を有する方法。